(57)【要約】【課題】液体のレベルを精確に把握して液体の注入や停止または加熱を制御することができ、そしてユーザーは容器の外部から液体のレベルを容易に把握できる。【解決手段】主体には磁石を持つ浮きボールが設けてあり、前記主体の裏側には制御回路に接続された磁気リードスイッチと発光体が組付けてあり、前記浮きボールが液体レベルと一緒に移動し前記磁気リードスイッチを触発したと、前記発光体が発光し、前記発光体から放射された光線が前記主体の外部に射出することを特徴とする発光装置付き浮きボール式液体レベルスイッチ。【選択図】図１
0003123974.tif 000002
【実用新案登録請求の範囲】
【請求項１】
主体には磁石を持つ浮きボールが設けてあり、前記主体の裏側には制御回路に接続された磁気リードスイッチと発光体が組付けてあり、前記浮きボールが液体レベルと一緒に移動し前記磁気リードスイッチを触発したと、前記発光体が発光し、前記発光体から放射された光線が前記主体の外部に射出することを特徴とする、発光装置付き浮きボール式液体レベルスイッチ。
【請求項２】
前記主体は、光透過性を持つ材料で作製されたものであり、光を伝導する特性を有することを特徴とする、請求項１に記載の発光装置付き浮きボール式液体レベルスイッチ。
【請求項３】
前記主体には、上段と下段との有限な距離のうちに、磁石を持つ浮きボールと、磁気リードスイッチと、発光体とがそれぞれニ組組み付けてあることを特徴とする、請求項１に記載の発光装置付き浮きボール式液体レベルスイッチ。
【請求項４】
前記ニ組の磁気リードスイッチと発光体は並列接続されたことを特徴とする、請求項３に記載の発光装置付き浮きボール式液体レベルスイッチ。
【請求項５】
前記主体は複数のセクションに分けられ、各セクションには、磁石を持つ浮きボールと、磁気リードスイッチと、発光体とがそれぞれ一組組み付けてあることを特徴とする、請求項１に記載の発光装置付き浮きボール式液体レベルスイッチ。
【請求項６】
各組の磁気リードスイッチと発光体は並列接続されたことを特徴とする、請求項５に記載の発光装置付き浮きボール式液体レベルスイッチ。
【請求項７】
前記主体の内部には、二つの磁気リードスイッチと、一つの発光体とが組付けてあることを特徴とする、請求項１に記載の発光装置付き浮きボール式液体レベルスイッチ。
【請求項８】
並列接続された前記二つの磁気リードスイッチが前記発光体と直列接続することを特徴とする、請求項７に記載の発光装置付き浮きボール式液体レベルスイッチ。
【請求項９】
前記主体の外側にはピンが設けてあり、前記ピンに浮きボールが設けられたことを特徴とする、請求項１に記載の発光装置付き浮きボール式液体レベルスイッチ。
【請求項１０】
前記浮きボール式液体レベルスイッチが容器の側壁に固定されたことを特徴とする、請求項１に記載の発光装置付き浮きボール式液体レベルスイッチ。
【請求項１１】
前記容器の上下端には浮きボール式液体レベルスイッチがそれぞれ一つ設けられることを特徴とする、請求項１に記載の発光装置付き浮きボール式液体レベルスイッチ。
【請求項１２】
前記容器の上端にある浮きボール式液体レベルスイッチが固定プレートに固定され、前記固定プレートが前記容器の内壁面に設けられ、前記容器の下端にある浮きボール式液体レベルスイッチが前記容器の底面に設けられ、そして前記二つの浮きボール式液体レベルスイッチは、丁度前記容器の横断面の中央に位置され、上下に対応することを特徴とする、請求項１に記載の発光装置付き浮きボール式液体レベルスイッチ。
【考案の詳細な説明】
【技術分野】
【０００１】
本考案は、発光装置付き浮きボール式液体レベルスイッチに係り、特に、液体が注入される容器の内部に浮きボール式液体レベルスイッチを取付けることにより、液体のレベルを精確に把握して液体の注入や停止または加熱を制御することができ、そして液体のレベルがハイレベル又はローレベルに位置するときに発光体が発光することにより、ユーザーは液体のレベルを容易に把握できる発光装置付き浮きボール式液体レベルスイッチに関するものである。
【背景技術】
【０００２】
目下、市販している湯沸し機の内部には浮きボール式液体レベルスイッチが組付けてあり、浮きボール式液体レベルスイッチにより湯沸し機の内部の液体の水位が即時に測定でき、且つ浮きボール式液体レベルスイッチが湯沸し機の内部の制御回路と接続したので、水位がハイレベル又はローレベルに位置するときには、水の注入や停止または加熱が適時に制御される。
【０００３】
上記浮きボール式液体レベルスイッチの構造は、内外側には制御回路と接続した磁気リードスイッチと磁石付き浮きボールとがそれぞれ設けられ、前記磁気リードスイッチがハイレベルまたはローレベルに設置され、前記浮きボールが水位の変化に従って上下動し、上下動する前記浮きボールの内部に設けられた磁石により前記磁気リードスイッチの開閉が切替られ、この切替信号を制御回路に転送すると、水の注入や停止または加熱が適時に制御される。
【考案の開示】
【考案が解決しようとする課題】
【０００４】
しかしながら、これは次のような欠点があった。
（イ）従来の構成の他に、ユーザーが湯沸し機の外部から水の注入や停止または加熱などの状態を容易に分かるために、湯沸し機の内部に指示ランプが設けられた電子回路を別に設けることが必要であり、すなわち、前記浮きボール式液体レベルスイッチにより水位を検知した後、前記浮きボール式液体レベルスイッチと電気的に接続した制御回路により前記指示ランプの点灯状態を制御し、湯沸し機の使用状態をユーザーに知らせる。
【０００５】
（ロ）従来の指示ランプの体積は極めて小さいので、その光度が低く、湯沸し機に近づかないと水位をはっきり判断できなかった。
【課題を解決するための手段】
【０００６】
上記欠点を解決するためになされた本願の考案は、主体には磁石を持つ浮きボールが設けてあり、前記主体の裏側には制御回路に接続された磁気リードスイッチと発光体が組付けてあり、前記浮きボールが液体レベルと一緒に移動し前記磁気リードスイッチを触発したと、前記発光体が発光し、前記発光体から放射された光線が前記主体の外部に射出することを特徴とする発光装置付き浮きボール式液体レベルスイッチであることを要旨としている。
【０００７】
本願の考案では、前記主体は、光透過性を持つ材料で作製されたものであり、光を伝導する特性を有することを特徴とする請求項１に記載の発光装置付き浮きボール式液体レベルスイッチであることを要旨としている。
【０００８】
本願の考案では、前記主体には、上段と下段との有限な距離のうちに、磁石を持つ浮きボールと、磁気リードスイッチと、発光体とがそれぞれニ組組み付けてあることを特徴とする請求項１に記載の発光装置付き浮きボール式液体レベルスイッチであることを要旨としている。
【０００９】
本願の考案では、前記ニ組の磁気リードスイッチと発光体は並列接続されたことを特徴とする請求項３に記載の発光装置付き浮きボール式液体レベルスイッチであることを要旨としている。
【００１０】
本願の考案では、前記主体は複数のセクションに分けられ、各セクションには、磁石を持つ浮きボールと、磁気リードスイッチと、発光体とがそれぞれ一組組み付けてあることを特徴とする請求項１に記載の発光装置付き浮きボール式液体レベルスイッチであることを要旨としている。
【００１１】
本願の考案では、各組の磁気リードスイッチと発光体は並列接続されたことを特徴とする請求項５に記載の発光装置付き浮きボール式液体レベルスイッチであることを要旨としている。
【００１２】
本願の考案では、前記主体の内部には、二つの磁気リードスイッチと、一つの発光体とが組付けてあることを特徴とする請求項１に記載の発光装置付き浮きボール式液体レベルスイッチであることを要旨としている。
【００１３】
本願の考案では、並列接続された前記二つの磁気リードスイッチが前記発光体と直列接続することを特徴とする請求項７に記載の発光装置付き浮きボール式液体レベルスイッチであることを要旨としている。
【００１４】
本願の考案では、前記主体の外側にはピンが設けてあり、前記ピンに浮きボールが設けられたことを特徴とする請求項１に記載の発光装置付き浮きボール式液体レベルスイッチであることを要旨としている。
【００１５】
本願の考案では、前記浮きボール式液体レベルスイッチが容器の側壁に固定されたことを特徴とする請求項１に記載の発光装置付き浮きボール式液体レベルスイッチであることを要旨としている。
【００１６】
本願の考案では、前記容器の上下端には浮きボール式液体レベルスイッチがそれぞれ一つ設けられることを特徴とする請求項１に記載の発光装置付き浮きボール式液体レベルスイッチであることを要旨としている。
【００１７】
本願の考案では、前記容器の上端にある浮きボール式液体レベルスイッチが固定プレートに固定され、前記固定プレートが前記容器の内壁面に設けられ、前記容器の下端にある浮きボール式液体レベルスイッチが前記容器の底面に設けられ、そして前記二つの浮きボール式液体レベルスイッチは、丁度前記容器の横断面の中央に位置され、上下に対応することを特徴とする請求項１に記載の発光装置付き浮きボール式液体レベルスイッチであることを要旨としている。
【考案の効果】
【００１８】
本考案に係る発光装置付き浮きボール式液体レベルスイッチによれば、液体のレベルを精確に把握して液体の注入や停止または加熱を制御することができ、そしてユーザーは容器の外部から液体のレベルを容易に把握できる効果がある。
【考案を実施するための最良の形態】
【００１９】
以下、添付図面を参照して本考案の好適な実施の形態を詳細に説明する。
【００２０】
まず、図１を参照する。図１に示すのは本考案に係る発光装置付き浮きボール式液体レベルスイッチの実施例１であって、二つの浮きボール式液体レベルスイッチ１が容器１０の上下端にそれぞれ立設され、且つ前記浮きボール式液体レベルスイッチ１が液体を収容する容器１０の裏側に組み付けられ、前記浮きボール式液体レベルスイッチ１の主体１１の外側には磁石１２を有する浮きボール１３が移動自在に嵌め設けてあり、前記浮きボール１３が液体レベルと一緒に所定範囲内に上下動可能であり、前記主体１１の裏側には制御回路（図示せず）と連結した磁気リードスイッチ１４および発光体１５が設けてあり、前
記磁気リードスイッチ１４と発光体１５と制御回路は一つの電子回路を形成する。
【００２１】
このように、前記浮きボール式液体レベルスイッチ１の浮きボール１３が容器１０内の液体レベルの変化（例えば液体レベルがハイレベルまたはローレベルに到達し）に従って磁気リードスイッチ１４に接近する場合には、前記浮きボール１３内に設けた磁石１２により前記磁気リードスイッチ１４は導通状態になり、この状態を制御回路に転送すると、制御回路は水の注入や停止または加熱を適時に制御し、そして前記磁気リードスイッチ１４が導通状態になった時には、発光体１５も導通状態になって光線を主体１１から容器１０の外部に投射し、そうすると、前記発光体１５により液体レベルが直接に表示され、磁気
リードスイッチ１４に指示ランプおよび電子回路を別に接続することが必要なくなり、且つ前記発光体１５の光度は高いので、ユーザーは湯沸し機の外部から液体レベルを容易に判断できる。
【００２２】
また、図２と図３に示すのは本考案に係る浮きボール式液体レベルスイッチの実施例２であって、二つの浮きボール式液体レベルスイッチ２が容器１０の上下端にそれぞれ立設され、且つ前記浮きボール式液体レベルスイッチ２の主体２１の外側には磁石２２を有する浮きボール２３が移動自在に嵌め設けてあり、前記二つの浮きボール２３がそれぞれ液体レベルと一緒に上下端に設けられた本体２１の所定範囲内に上下動可能であり、容器１０の上端に設けられた浮きボール式液体レベルスイッチ２は、その上段はいっぱいな水位であり、その下段はハイレベルであり、なお、容器１０の下端に設けられた浮きボール式液体レベルスイッチ２は、その上段はローレベルであり、その下段は注水要求なレベルであり、また、前記主体２１の裏側には制御回路と連結した磁気リードスイッチ２４および発光体２５がニ組に設けてあり、各組の前記発光体２５と磁気リードスイッチ２４は直列接続して別組の発光体２５および磁気リードスイッチ２４と並列接続し、これらの磁気リードスイッチ２４と発光体２５は制御回路に合せて一つの電子回路を形成する。
【００２３】
図２に示すように、容器１０内の液体レベルが注水要求なレベルまで降下したと、容器１０の上下端に設けられた浮きボール式液体レベルスイッチ２の下段に位置する浮きボール２３は、液体の浮き力を受けなく、下段に設置された磁気リードスイッチ２４に近接し、且つ前記浮きボール２３内に設けられた磁石２２により下段に設置された磁気リードスイッチ２４は導通状態になって、下段に設置された発光体２５が発光し、且つこの状態の信号が制御回路に転送されて制御回路により注水を開始し、なお、容器１０内の液体がいっぱいな水位になった場合には、容器１０の上下端に設けられた浮きボール式液体レベルスイッチ２の浮きボール２３は、液体の浮き力を受けて上段まで上昇し、下段に設置された磁気リードスイッチ２４から離れるので、下段に設置された磁気リードスイッチ２４は導通しない状態になり、なお、図３に示すように、磁石２２が設けられた前記浮きボール２３は上段に設置された磁気リードスイッチ２４に接近するので、上段に設置された磁気リードスイッチ２４は導通状態になって、上段に設置された発光体２５が発光し、且つこの状態の信号が制御回路に転送されて制御回路により注水を停止する。
【００２４】
また、図４と図５に示すのは本考案に係る浮きボール式液体レベルスイッチの実施例３であって、浮きボール式液体レベルスイッチ３の主体３１が複数のセクション３１１に分けられ、なお、各セクション３１１には磁石３２が設けられた浮きボール３３がそれぞれ移動自在に嵌め設けてあり、且つ各セクション３１１には制御回路と接続した磁気リードスイッチ３４と発光体３５がそれぞれ組み付けてあり、各セクションに設けた発光体３５と磁気リードスイッチ３４は直列接続して別のセクションに設けた発光体３５および磁気リードスイッチ３４と並列接続し、これらの磁気リードスイッチ３４と発光体３５は制御回
路に合せて一つの電子回路を形成する。
【００２５】
容器１０内の液体レベルは、図４に示すように、ローレベルまで降下し、図５に示すように、いっぱいな水位に上昇し、又はローレベルといっぱいな水位の間の各セクション３１１に到達するときに、各セクション３１１に嵌め設けた磁石３２付き浮きボール３３が各セクション３１１に設置された磁気リードスイッチ３４に接近すると、当該セクション３１１の磁気リードスイッチ３４は導通状態になって、当該セクション３１１の発光体２５が発光し、且つこの状態の信号が制御回路に転送されて制御回路により注水を開始または停止し、このような設計によれば、図５に示すように、液体レベル以下の各セクション３
１１の発光体３５は全て発光になり、且つ前記複数の発光体３５は相異な顔色を採用してもよく、そうすると、ユーザーは液体レベルの所在するセクション３１１を容易に判断できる。
【００２６】
また、図６と図７に示すのは本考案に係る浮きボール式液体レベルスイッチの実施例４であって、浮きボール式液体レベルスイッチ４の主体４１の周面には支柱４１１が凸設してあり、前記支柱４１１には磁石４２を有する浮きボール４３が移動自在に嵌め設けてあり、前記主体４１の内部には制御回路と接続した磁気リードスイッチ４４と発光体４５が組み付けてあり、前記発光体４５と磁気リードスイッチ４４は直列接続する。
【００２７】
だから、容器１０内の液体レベルは、図６に示すように、ローレベルまで降下し、または、図７に示すように、いっぱいな水位に上昇し、磁石４２を有する浮きボール４３が磁気リードスイッチ４４に接近すると、前記磁気リードスイッチ４４は導通状態になって、この状態の信号が制御回路に転送されて制御回路により注水を開始または停止し、このような設計によれば、前記磁気リードスイッチ４４は導通状態になったときに当該発光体４５が発光し、その光線が主体４１の外部に投射するので、ユーザーは湯沸し機の外部から液体レベルを容易に判断できる。
【００２８】
また、図８に示すのは本考案に係る浮きボール式液体レベルスイッチの実施例５であって、浮きボール式液体レベルスイッチ５は、容器１０の内側に取付けられ、その主体５１の外周面には磁石５２を有する浮きボール５３が移動自在に嵌め設けてあり、前記浮きボール５３は液体レベルと一緒に主体５１の外周面の所定範囲内に上下動可能であり、且つ前記主体５１の内部には制御回路（図示せず）と接続した磁気リードスイッチ５４，５４´と発光体５５が組み付けてあり、前記二つの磁気リードスイッチ５４，５４´は並列接続して発光体５５と直列接続し、前記磁気リードスイッチ５４，５４´と発光体５５は制御回路に合せて一つの電子回路を形成する。
【００２９】
これにより、容器１０内の液体レベルの変化に従って浮きボール５３が磁気リードスイッチ５４または磁気リードスイッチ５４´に接近するときに、前記発光体５５が発光になり、だから、前記磁気リードスイッチ５４，５４´のうちの何れか一つが故障になっても、注水の開始や停止または液体の加熱は依然として正常に作動可能であり、これは二重保護構成であり、且つ前記発光体５５の光度は高いので、ユーザーは湯沸し機の外部から液体レベルを容易に判断できる。
【００３０】
また、図１乃至図８に示す浮きボール式液体レベルスイッチ１，２，３，４は全て容器１０の側壁に固定され、なお、図９に示すのは本考案の実施例６であって、容器１０の上端に立設される浮きボール式液体レベルスイッチ６が固定プレート６１に固定され、且つ浮きボール式液体レベルスイッチ６が容器１０の横断面の中央に位置され、前記固定プレート６１が容器１０の側壁に組み付けられ、なお、容器１０の下端に立設される浮きボール式液体レベルスイッチ７が容器１０の底面の中央に設置される。
【図面の簡単な説明】
【００３１】
【図１】本考案の実施例１の液体がハイレベルになった状態を示す概略図である。
【図２】本考案の実施例２の液体がローレベルになった状態を示す概略図である。
【図３】本考案の実施例２の液体がハイレベルになった状態を示す概略図である。
【図４】本考案の実施例３の液体がローレベルになった状態を示す概略図である。
【図５】本考案の実施例３の液体がハイレベルになった状態を示す概略図である。
【図６】本考案の実施例４の液体がローレベルになった状態を示す概略図である。
【図７】本考案の実施例４の液体がハイレベルになった状態を示す概略図である。
【図８】本考案の実施例５の液体がハイレベルになった状態を示す概略図である。
【図９】本考案の実施例６の液体がハイレベルになった状態を示す概略図である。
【符号の説明】
【００３２】
１        浮きボール式液体レベルスイッチ
１１      主体
１２      磁石
１３      浮きボール
１４      磁気リードスイッチ
１５      発光体
２        浮きボール式液体レベルスイッチ
２１      主体
２２      磁石
２３      浮きボール
２４      磁気リードスイッチ
２５      発光体
３        浮きボール式液体レベルスイッチ
３１      主体
３１１    セクション
３２      磁石
３３      浮きボール
３４      磁気リードスイッチ
３５      発光体
４        浮きボール式液体レベルスイッチ
４１      主体
４２      磁石
４３      浮きボール
４４      磁気リードスイッチ
４５      発光体
５        浮きボール式液体レベルスイッチ
５１      主体
５２      磁石
５３      浮きボール
５４      磁気リードスイッチ
５５      発光体
６，７    浮きボール式液体レベルスイッチ
６１      固定プレート
１０      容器
【図１】
0003123974.tif 000003
【図２】
0003123974.tif 000004
【図３】
0003123974.tif 000005
【図４】
0003123974.tif 000006
【図５】
0003123974.tif 000007
【図６】
0003123974.tif 000008
【図７】
0003123974.tif 000009
【図８】
0003123974.tif 000010
【図９】
0003123974.tif 000011